(57)【要約】      （修正有）【課題】封書用紙片部を内蔵でき、封書に記載された返信記載情報が盗み見られることがないようにした冊子状送付物を提供する。【解決手段】冊子状送付物１は、略同一寸法を有する矩形状の封書表紙片２と封書裏紙片３との間に、封書表紙片２又は封書裏紙片３の縦横寸法よりも小さな縦横寸法のサイズで形成された複数枚の矩形状の中綴じ用紙片４ａ，４ｂが重ね合わされた構成を有している。これら複数枚の中綴じ用紙片４ａ，４ｂの縦横寸法は、封書表紙片２又は封書裏紙片３の縦横寸法よりも小さなサイズで形成されているために、それら封書表紙片２と封書裏紙片３と複数枚の中綴じ用紙片４ａ，４ｂを、それぞれ左側の一側端縁で揃えた状態として重ね合わせた場合に、封書表紙片２の三周縁部と、封書裏紙片３の三周縁部において直接接触して重なり合う領域を有するように構成されている。【選択図】図１
2012148457.tif 000002
【特許請求の範囲】
【請求項１】
略同一寸法を有する封書表紙片と封書裏紙片との間に、前記封書表紙片又は前記封書裏紙片よりも縦横寸法が小さなサイズを有する中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記中綴じ用紙片の一側端縁で接着された綴じ部により一体化されている冊子状送付物であって、
前記中綴じ用紙片には、前記一側端縁部と平行に形成された切り取り予定線により区分けされた封書用紙片部が、前記綴じ部の反対側に設けられ、
前記封書用紙片部は、該封書用紙片部の略中央部に前記一側端縁部と平行に形成された折り畳み予定線により第１封書用紙片部と第２封書用紙片部とに区分けされ、
前記封書用紙片部の四周辺に沿って、開封用切り取り予定線が縦横方向に形成され、
前記第２葉書用紙片部の上面には、前記開封用切り取り予定線により三方が囲まれた領域に接着剤が設けられ、更に前記開封用切り取り予定線により三方が囲まれた領域の外側の領域に粘着剤が設けられ、
前記第２葉書用紙片部の上側には、貼付用紙が貼付され、
前記貼付用紙には、前記開封用切り取り予定線でコ字状に形成された位置と重なる位置にスリットが形成され、
前記貼付用紙の裏面であって、前記第２葉書用紙片部の粘着剤と重なる領域に剥離剤が設けられ、
前記封書表紙片と前記封書裏紙片は、前記封書表紙片の三周縁部と、前記封書裏紙片の三周縁部と、が直接重なり合う部分において接着剤により接着され、更に、前記接着剤で接着されている三周縁部を切り取ることができる切り取り予定線が形成されていることを特徴とする冊子状送付物。
【請求項２】
前記切り取り予定線がミシン目であることを特徴とする請求項１記載の冊子状送付物。
【請求項３】
前記折り畳み予定線がミシン目であることを特徴とする請求項１記載の冊子状送付物。
【発明の詳細な説明】
【技術分野】
【０００１】
本発明は、受取人において返信用の封書を作成することができる封書用紙片部が内蔵されている冊子状送付物に関する。
【背景技術】
【０００２】
従来、商品やサービスの内容を記載した冊子は、ダイレクトメールなどとして種々の業界で広く利用されている。
例えば通信販売会社では、商品の広告を掲載した冊子状の送付物を販売促進活動として顧客に対して郵送したり、また顧客が過去において商品を購入した購入履歴情報に基づいて、更にそれらの顧客に対して関連商品の販売促進を行うために冊子状の送付物をダイレクトメールとして郵送するなどしている。
【０００３】
従来、特にダイレクトメールとしては、例えば圧着式のハガキ（参考文献１を参照。）等も利用されているが、これらの葉書は、一般的に２枚のシートを剥離可能な状態で貼り合わされた状態とした構成であるため、広告を表示するためのスペースが少なく、多くの商品情報を掲載したい場合には使用できないという問題がある。
また、これらの２つ折り葉書では、葉書の受取人から商品申し込みなどを行なう際に使用する返信用の封書を一体化して送れないことから、返信用の封書も同時に送りたいと考える場合には、採用できないという問題がある。
【０００４】
また、紙面数の多い冊子状送付物としては、例えば参考文献２〜４に記載されているような技術があるが、参考文献２では、冊子の上端と下端が接着されていないため、冊子内に個人情報などが記載されている場合に盗み見られる危険性があるという問題がある。
更に参考文献３、４では、二つ折りされる表紙片および裏表紙片の間に小冊子本体を挟み込んで取り付けるために中綴じ用の金具を使用する必要や、二つ折りされる表紙片および裏表紙片の間に小冊子本体を挟み込んで取り付ける中綴じ工程を行うための高価な製造設備が必要であるなどの問題がある。
【先行技術文献】
【特許文献】
【０００５】
【特許文献１】特開平１０−２６４５５７号公報
【特許文献２】特開２００６−２７２９５５号公報
【特許文献３】特開平９−３９４５０号公報
【特許文献４】特開平７−２７７３４４号公報
【発明の概要】
【発明が解決しようとする課題】
【０００６】
そこで、本発明は、上記の課題に鑑みてなされたものであり、受取人が返信用の封書を簡単に作成することができる封書用紙片部を内蔵させることができ、更にその封書用紙片部で作成された封書に記載された返信記載情報が、第三者によりその用紙を透かして盗み見られることがないようにした冊子状送付物を提供することを目的とする。
【課題を解決するための手段】
【０００７】
本発明の冊子状送付物は、略同一寸法を有する封書表紙片と封書裏紙片との間に、前記封書表紙片又は前記封書裏紙片よりも縦横寸法が小さなサイズを有する中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記中綴じ用紙片の一側端縁で接着された綴じ部により一体化されている冊子状送付物であって、前記中綴じ用紙片には、前記一側端縁部と平行に形成された切り取り予定線により区分けされた封書用紙片部が、前記綴じ部の反対側に設けられ、前記封書用紙片部は、該封書用紙片部の略中央部に前記一側端縁部と平行に形成された折り畳み予定線により第１封書用紙片部と第２封書用紙片部とに区分けされ、前記封書用紙片部の四周辺に沿って、開封用切り取り予定線が縦横方向に形成され、前記第２葉書用紙片部の上面には、前記開封用切り取り予定線により三方が囲まれた領域に接着剤が設けられ、更に前記開封用切り取り予定線により三方が囲まれた領域の外側の領域に粘着剤が設けられ、前記第２葉書用紙片部の上側には、貼付用紙が貼付され、前記貼付用紙には、前記開封用切り取り予定線でコ字状に形成された位置と重なる位置にスリットが形成され、前記貼付用紙の裏面であって、前記第２葉書用紙片部の粘着剤と重なる領域に剥離剤が設けられ、前記封書表紙片と前記封書裏紙片は、前記封書表紙片の三周縁部と、前記封書裏紙片の三周縁部と、が直接重なり合う部分において接着剤により接着され、更に、前記接着剤で接着されている三周縁部を切り取ることができる切り取り予定線が形成されていることを特徴とする。
【０００８】
また、本発明の冊子状送付物は、前記切り取り予定線がミシン目であることを特徴とする。
【０００９】
更に、本発明の冊子状送付物は、前記折り畳み予定線がミシン目であることを特徴とする。
【発明の効果】
【００１０】
したがって、本発明の冊子状送付物は、中綴じ用紙片を封書用紙片部として用いることで、冊子状送付物の受取人が返信用の封書を簡単に作成することができる封書用紙片部を内蔵させることができ、また、第２葉書用紙片部の上側に貼付用紙が貼付されているので、貼付用紙に記入された情報を透かして盗み見ようとしても見ることができないという情報漏洩防止の効果を有している。
【図面の簡単な説明】
【００１１】
【図１】本発明の実施形態に係る冊子状送付物の斜視図である。
【図２】本発明の実施形態に係る冊子状送付物の封書表紙片をめくり上げた状態を示す斜視図である。
【図３】本発明の実施形態に係る冊子状送付物の各紙片を分離させた状態を示す斜視図である。
【図４】図１のＡ−Ａ線断面図である。
【図５】図１のＢ−Ｂ線断面図である。
【図６】本発明の実施形態に係る冊子状送付物の封書表紙片をめくり上げ、封書用紙片部を切り離した状態を示す斜視図である。
【図７】本発明の実施形態に係る冊子状送付物の封書用紙片部から貼付用紙の外側部分をスリットから剥離させた状態を示す斜視図である。
【図８】本発明の実施形態に係る冊子状送付物の封書用紙片部を２つ折りさせて封書を作成した状態を示す斜視図である。
【発明を実施するための形態】
【００１２】
以下、本発明の実施形態に係る冊子状送付物１を図面に基づいて詳細に説明する。
図１乃至図３に示すように、本発明の実施形態に係る冊子状送付物１は、略同一寸法を有する矩形状の封書表紙片２と封書裏紙片３との間に、前記封書表紙片２又は前記封書裏紙片３の縦横寸法よりも小さな縦横寸法のサイズで形成された複数枚の矩形状の中綴じ用紙片４ａ，４ｂが重ね合わされた構成を有している。
これら複数枚の中綴じ用紙片４ａ，４ｂの縦横寸法は、前記封書表紙片２又は前記封書裏紙片３の縦横寸法よりも小さなサイズで形成されているために、それら封書表紙片２と封書裏紙片３と複数枚の中綴じ用紙片４ａ，４ｂを、それぞれ左側の一側端縁で揃えた状態として重ね合わせた場合に、封書表紙片２の三周縁部と、封書裏紙片３の三周縁部において直接接触して重なり合う領域を有するように構成されている。
また、封書表紙片２と封書裏紙片３と複数枚の中綴じ用紙片４ａ，４ｂとは、それら紙片の左側の一側端縁部において、それぞれが接着剤５により接着されている綴じ部により一体化されている。
【００１３】
また、図３に示すように、複数枚の中綴じ用紙片４ａ，４ｂのうち少なくとも１枚の中綴じ用紙片４ｂには、前記一側端縁部と平行に形成された切り取り予定線として切り取り用ミシン目６により区分けされた葉書用紙片部７が、前記綴じ部の反対側に設けられている。
封書用紙片部７には、該封書用紙片部７の横方向の略中央部に折り畳み予定線として折り用ミシン目８が切り取り用ミシン目６と平行に形成されている。
また、封書用紙片部７については、図３に示すように、封書用紙片部７において折り用ミシン目８で２つに区画された一方を第１封書用紙片部７ａとし、他方を第２封書用紙片部７ｂとして説明する。
【００１４】
封書用紙片部７には、該封書用紙片部７の四周辺に沿って、開封用切り取り予定線として開封用ミシン目１４が縦横方向に形成されている。
そして、第２葉書用紙片部７ｂの上面には、前記開封用ミシン目１４により三方が囲まれた領域に接着剤１５が設けられている。
更に、前記開封用ミシン目１４により三方が囲まれた領域の外側の領域には、コ字状に粘着剤１６が設けられている。
【００１５】
また、第２葉書用紙片部７ｂの上側には、貼付用紙１０が貼付されている。
前記貼付用紙１０には、第２葉書用紙片部７ｂに形成された開封用ミシン目１４でコ字状に形成された位置と重なる位置にスリット１７がコ字状に形成されている。
貼付用紙１０の裏面であって、第２葉書用紙片部７ｂに設けられた粘着剤１６と重なる領域には、剥離剤１８が設けられている。
【００１６】
また、封書表紙片２と封書裏紙片３は、前記封書表紙片２の三周縁部と、前記封書裏紙片３の三周縁部と、が直接重なり合う部分において接着剤１１により接着されている。
更に、封書表紙片２と封書裏紙片３には、その接着剤１１で接着されている三周縁部を切り取ることができる切り取り予定線として切り取りミシン目２０，２１三方向に形成されている。
【００１７】
封書の表面となる封書用紙片部７ａ又は封書用紙片部７ｂの表面には、図８に示すように予め葉書の宛先表示１２を印刷させておくことが好ましい。
また、封書の裏面となる封書用紙片部７ａ又は封書用紙片部７ｂの裏面には、図７に示すように予め申込欄１３など所望の印刷をしておくことが好ましい。
【００１８】
封書表紙片２及び封書裏紙片３、中綴じ用紙片４ａ，４ｂに使用する材料としては、例えば、上質紙、コート紙、複写用紙、クラフト紙等、合成紙、ＰＥＴ、ＰＰ等があり、これらの材料は、冊子状送付物の用途により適宜選択することができる。
また、封書表紙片２、中綴じ用紙片４ａ，４ｂ及び封書裏紙片３を接着するために使用する接着剤５，１５を構成する材料としては、アクリル系樹脂、酢酸ビニル系樹脂、ＥＶＡ系樹脂、ウレタン系樹脂などのエマルジョン接着剤などを使用することができる。
【００１９】
次に、本発明の冊子状送付物１の使用方法について説明する。
冊子状送付物１は、図１に示すように重なり合った封書表紙片２の三周縁部と、封書裏紙片３の三周縁部とが直接接触する部分において接着剤１１により接着され、密封された状態として配布や郵送が行われる。
そして、冊子状送付物１の受取人は、重なり合った封書表紙片２と封書裏紙片３の三周縁部に形成されている切り取りミシン目２０，２１から紙片の一部分を、それぞれ三方向に切り取ることで開封させる。
次に、冊子状送付物１を開封した受取人は、封書表紙片２の裏面や、中綴じ用紙片４ａ及び封書裏紙片３などに記載されている内容を読んだ後に、その受取人が、それらの内容に基づいて申し込みを行なう場合には、中綴じ用紙片４ｂの封書用紙片部７ａに印刷されている申込欄１３などに申し込みの内容を記入する。
【００２０】
次に、図７に示すように中綴じ用紙片４ｂに形成されている切り取り用ミシン目６から封書用紙片部７を切り取った後に、貼付用紙１０にコ字状に形成されたスリット１７から、そのスリット１７の外側部分１０ａだけを剥離させて、葉書用紙片部７ｂの上面に設けられた粘着剤１６を表出させる。
そして、折り用ミシン目８から葉書用紙片部７を２つに折りまげて、葉書用紙片部７ａと葉書用紙片部７ｂの三周縁部を粘着剤１６により貼着することで、図８に示すような封書１５を作成する。
その後、この封書１５を郵便ポストに投函するなどして郵送させる。
【００２１】
上記のように、本発明の冊子状送付物１は、受取人自身が簡単に返信用の封書を作成することができる封書用紙片部が内蔵されているので、必要に応じて受取人が直ぐに返信用の封書用紙片部を用いて申し込みなどの処理を行うことができるように構成されている。
また、封書１５の内部には、葉書用紙片部７ｂに貼付用紙１０が接着された構成となっているので、葉書用紙片部７ａの申込欄１３などに記入した情報が重ね合わされた紙片を透かして盗み見ようとしても見ることができないようになっている。
【符号の説明】
【００２２】
１  冊子状送付物
２  封書表紙片
３  封書裏紙片
４ａ，４ｂ  中綴じ用紙片
５，１１，１５  接着剤
６，１４，１９，２０，２１  切り取り用ミシン目
７  封書用紙片部
７ａ  第１封書用紙片部
７ｂ  第２封書用紙片部
８  折り用ミシン目
１０  貼付用紙
１２  宛先表示
１３  申込欄
１６  粘着剤
１７  スリット
１８  剥離剤
【図１】
2012148457.tif 000003
【図２】
2012148457.tif 000004
【図３】
2012148457.tif 000005
【図４】
2012148457.tif 000006
【図５】
2012148457.tif 000007
【図６】
2012148457.tif 000008
【図７】
2012148457.tif 000009
【図８】
2012148457.tif 000010